(57)【要約】【課題】高速パケットデータを伝送する（ＨＲＰＤ）移動通信システムの端末において、逆方向パケットデータの伝送率制御方法を提供する。【解決手段】逆方向パケットデータの伝送率制御方法は、所定の基地局と初期接続を試みる場合、前記基地局から平均ローディング情報（ＦＲＡＢ）を受信する過程と、前記受信された平均ローディング情報を前記基地局の平均ローディング情報に設定する過程と、前記基地局から逆方向活性情報（ＲＡＢ）受信時、前記逆方向活性情報と前記設定された平均ローディング情報を利用して逆方向データの伝送率を制御する過程とを含む。【選択図】図２
2010239646.tif 000002
【特許請求の範囲】
【請求項１】
高速パケットデータ伝送を支援する移動通信システムの端末において、逆方向伝送率の制御のためのＦＲＡＢ（Filtered Reverse Activity Bit）を初期化する方法であって、
通信が可能な全てのセクターに対して複数のＦＲＡＢを生成する過程と、
前記ＦＲＡＢを生成すべきであるセクターに新たなセクターが含まれるとき、前記新たなセクターに対するＦＲＡＢを前記通信が可能な全てのセクターに対して以前に生成された前記複数のＦＲＡＢのうちで最大値に初期化する過程と、
を含むことを特徴とする方法。
【請求項２】
前記ＦＲＡＢは、長期間のセクターローディングを指示する情報であることを特徴とする請求項１記載の方法。
【請求項３】
前記ＦＲＡＢは、−１から＋１間の実数であることを特徴とする請求項１記載の方法。
【請求項４】
前記全てのセクターに対して生成された複数のＦＲＡＢのうちで前記最大値を有するＦＲＡＢを更新する過程をさらに含むことを特徴とする請求項１記載の方法。
【請求項５】
前記ＦＲＡＢは周期的に更新されることを特徴とする請求項４記載の方法。
【請求項６】
前記通信が可能な全てのセクターに前記新たなセクターが含まれるとき、前記端末は、前記新たなセクターにハンドオフを遂行することを特徴とする請求項１記載の方法。
【請求項７】
前記通信が可能な全てのセクターに前記新たなセクターが含まれるとき、前記新たなセクターに対するＦＲＡＢは、前記新たなセクターから連続的に受信されるＲＡＢ（Reverse Activity Bit）を長期間フィルタリングせずに初期化されることを特徴とする請求項１記載の方法。
【請求項８】
高速パケットデータ伝送を支援する移動通信システムにおいて、逆方向伝送率の制御のためのＦＲＡＢ（Filtered Reverse Activity Bit）を初期化する移動端末装置であって、
通信が可能な全てのセクターの各セクターからＲＡＢ（Reverse Activity Bit）を受信する受信器と、
制御器と、を含み、
ここで、前記移動端末装置は、前記通信が可能な全てのセクターに対して複数のＦＲＡＢを生成し、前記ＦＲＡＢを生成すべきであるセクターに新たなセクターが含まれるとき、前記新たなセクターに対するＦＲＡＢを前記通信が可能な全てのセクターに対して以前に生成された前記複数のＦＲＡＢのうちで最大値に初期化することを特徴とする移動端末装置。
【請求項９】
前記ＦＲＡＢは、長期間のセクターローディングを指示する情報であることを特徴とする請求項８記載の移動端末装置。
【請求項１０】
前記ＦＲＡＢは、−１から＋１間の実数であることを特徴とする請求項８記載の移動端末装置。
【請求項１１】
前記移動端末装置は、前記全てのセクターに対して生成された複数のＦＲＡＢのうちで前記最大値を有するＦＲＡＢを更新することを特徴とする請求項８記載の移動端末装置。
【請求項１２】
高速パケットデータ伝送を支援する移動通信システムにおいて、逆方向伝送率の制御のためのＦＲＡＢ（Filtered Reverse Activity Bit）を初期化する移動端末装置であって、
通信が可能な全てのセクターの各セクターからＦＲＡＢを受信する受信器と、
前記通信が可能な全てのセクターに対して複数のＦＲＡＢを生成し、前記ＦＲＡＢを生成すべきであるセクターに新たなセクターが含まれるとき、前記新たなセクターに対するＦＲＡＢを前記通信が可能な全てのセクターに対して以前に生成された前記複数のＦＲＡＢのうちで最大値に初期化する制御部とを含むことを特徴とする移動端末装置。
【請求項１３】
前記制御部は、前記全てのセクターに対して生成された複数のＦＲＡＢのうちで前記最大値を有するＦＲＡＢを更新することを特徴とする請求項１２記載の移動端末装置。
【請求項１４】
前記ＦＲＡＢは周期的に更新されることを特徴とする請求項１３記載の移動端末装置。
【請求項１５】
前記制御部は、前記通信が可能な全てのセクターに前記新たなセクターが含まれるとき、前記端末は、前記新たなセクターにハンドオフを遂行することを特徴とする請求項１２記載の移動端末装置。
【請求項１６】
前記通信が可能な全てのセクターに新たなセクターが含まれるとき、前記新たなセクターに対するＦＲＡＢは、前記新たなセクターから連続的に受信されるＲＡＢ（Reverse Activity Bit）を長期間フィルタリングせずに初期化されることを特徴とする請求項１２記載の移動端末装置。
【請求項１７】
高速パケットデータ伝送を支援する移動通信システムにおいて、逆方向伝送率の制御のためのＦＲＡＢ（Filtered Reverse Activity Bit）を初期化する移動端末装置であって、
制御器と、
前記制御器を管理するプログラムが格納されたメモリと、を含み、
ここで、前記制御器は、通信が可能な全てのセクターに対して複数のＦＲＡＢを生成し、前記ＦＲＡＢを生成すべきであるセクターに新たなセクターが含まれるとき、前記新たなセクターに対するＦＲＡＢを前記通信が可能な全てのセクターに対して以前に生成された前記複数のＦＲＡＢのうちで最大値に初期化することを特徴とする移動端末装置。
【請求項１８】
前記制御部は、前記全てのセクターに対して生成された複数のＦＲＡＢのうちで前記最大値を有するＦＲＡＢを更新することを特徴とする請求項１７記載の移動端末装置。
【発明の詳細な説明】
【技術分野】
【０００１】
本発明は、移動通信システムにおけるデータ伝送方法及びシステムに関し、特に、逆方向に伝送されるデータの伝送率を制御するための方法及びシステムに関する。
【背景技術】
【０００２】
一般に、２Ｇ符号分割多重接続（Code Division Multiple Access；ＣＤＭＡ）方式の移動通信システムにおいて、音声中心のサービスが提供され、また順方向と逆方向に比較的低速のデータサービスがトラフィックチャンネルを通じてなされる。ところが、無線技術が速く発展することにつれて使用者は単純な音声中心のサービスよりは、多量のデータを高速で伝送できるサービスを願うことになった。このような使用者の多様な要求を受容するために、移動通信システムは、比較的高速のデータサービスを共に併行できるシステムに発展している。
【０００３】
３Ｇ移動通信システムにおいて、データサービス中心のマルチメディアサービスを可能にするシステムに対して多くの研究が進行している。
【０００４】
実例として、同期方式の標準化陣営である３ＧＰＰ２（3rd Generation Partnership Project 2）において、ＣＤＭＡ２０００ １ｘ規格のデータサービスを強化するための目的でＨＤＲ（High Data Rate）と呼ばれる１ｘ ＥＶ−ＤＯ（Evolution-Data Only）規格が制定された。１ｘ ＥＶ−ＤＯシステムは、順方向にパケットデータを伝送する場合、特定の一つの端末のみに伝送する。したがって、パケットデータを伝送する端末に最大電力で高速のパケットデータを伝送できるシステムである。
【０００５】
前記１ｘ ＥＶ−ＤＯシステムについて説明する。前記１ｘ ＥＶ−ＤＯシステムにおいて、順方向リンクを基盤にして説明すれば、送信器は基地局（Access Network；ＡＮ）となり、受信器は端末機（Access Terminal：ＡＴ）となる。リンク適応方式を適用した１ｘ ＥＶ−ＤＯシステムの物理階層はＱＰＳＫ（Quadrature Phase Shift Keying）、８ＰＳＫ（8-ary Phase Shift Keying）及び１６ＱＡＭ（16-ary Quadrature Amplitude Modulation）などの変調方式と種々なる伝送率をチャンネル環境によって可変的に使用する。また、前記システムは同一な周波数帯域を使用してマルチメディアサービスを支援し、複数の移動端末が同時に基地局にデータを伝送することができる。この際、移動端末の区分は各移動端末に固有に割り当てられた拡散符号を通じてなされる。
【０００６】
前記１ｘ ＥＶ−ＤＯシステムにおいて、移動端末から基地局への方向、即ち逆方向のデータ伝送は、物理階層パケット（physical layer packet：ＰＬＰ）単位で逆方向パケットデータチャンネル（Reverse Packet Data Channel：Ｒ−ＰＤＣＨ）を通じてなされ、パケットの長さは固定される。パケットのデータ伝送率は毎パケット毎に可変することができ、各パケットのデータ伝送率（Data Rate）は該当パケットを伝送する移動端末の電力と伝送する全データの量及び基地局から提供される情報により制御される。
【０００７】
ところが、移動端末がハンドオフして、現在通信中の基地局で他の基地局と通信を試みる場合や初期通信を設定する場合、前記移動端末は基地局との接続がなされない状態であるので、前記基地局から伝送率を制御するための情報を提供されなくなる。したがって、移動端末はチャンネル状況によって各パケットデータの伝送率を効率よく制御し難いという問題点がある。
【発明の概要】
【発明が解決しようとする課題】
【０００８】
したがって、本発明の目的は、移動端末が最初の基地局と通信を開始したり、ハンドオフして新たな基地局と通信を開始する時点に、自身のデータ伝送率を決定するための逆方向伝送率制御方法及びシステムを提供することにある。
【０００９】
本発明の他の目的は、移動端末が最初の基地局と通信を開始したり、ハンドオフして新たな基地局と通信を開始する場合、基地局から提供される基地局のローディング（loading）情報を利用してシステムのローディング状況を判断して伝送率を制御するための方法及びシステムを提供することにある。
【課題を解決するための手段】
【００１０】
前記の目的を達成するための方法は、高速パケットデータを伝送する（ＨＲＰＤ）移動通信システムの端末において、逆方向データの伝送率制御方法であって、所定の基地局と初期接続を試みる場合、前記基地局から長い間の期間のセクターローディングを指示する平均ローディング情報（ＦＲＡＢ）を受信する過程と、前記受信された平均ローディング情報を前記基地局の平均ローディング情報に設定する過程と、前記基地局から逆方向活性情報（ＲＡＢ）受信時、前記逆方向活性情報と前記設定された平均ローディング情報を利用して逆方向データの伝送率を制御する過程とを含む。
【００１１】
そして、前記の本発明の目的を達成するためのシステムは、高速パケットデータを伝送する（ＨＲＰＤ）移動通信システムの基地局において、最初に接続された接続端末に逆方向パケットデータの伝送率制御情報を提供するための基地局装置を含み、前記基地局装置は、前記端末に伝送する平均ローディング情報（ＦＲＡＢ）を所定メッセージで生成して、生成されたメッセージを順方向所定チャンネルを通じて伝送し、前記接続端末は、所定の基地局と初期接続を試みる場合、前記基地局から平均ローディング情報（ＦＲＡＢ）を受信し、これを前記基地局の平均ローディング情報として設定し、前記基地局から逆方向活性情報（ＲＡＢ）受信時、前記逆方向活性情報と前記設定された平均ローディング情報を利用して逆方向データの伝送率を制御する。
【発明の効果】
【００１２】
以上、詳細に説明したように動作する本発明において、開示される発明中の代表的なものにより得られる効果を簡単に説明すれば次の通りである。
【００１３】
本発明は、移動端末が最初の基地局と通信を開始しようとする時点で、あるいは、ハンドオフを遂行するために新たな基地局と通信を開始しようとする時点で、基地局の平均ローディング情報を表すＦＲＡＢ値に対する初期値を設定することによって、移動端末がシステムのローディング状況をより正確に判断して自身のデータ伝送率を決定するので、より効率のよい逆方向システムロード（load）制御できる効果がある。
【図面の簡単な説明】
【００１４】
【図１】本発明の好ましい実施形態に係る移動通信システムの構造を示す図である。
【図２】本発明の好ましい実施形態によって基地局が移動局にシステムローディング情報を伝送する動作を示す流れ図である。
【図３】本発明の好ましい実施形態によって移動局が既存に通信中の基地局に対するＦＲＡＢ値を参照して新たな基地局に対するＦＲＡＢの初期値を設定する動作を示す流れ図である。
【発明を実施するための形態】
【００１５】
下記の本発明の説明において、関連した公知機能または構成に対する具体的な説明が本発明の要旨を曖昧にすることができると判断される場合には、その詳細な説明を適宜省略する。そして、後述する用語は本発明での機能を考慮して定義された用語であって、これは、使用者、運用者の意図または慣例などによって変わることができる。したがって、その定義は本明細書の全般に亘る内容に基づいて下るべきである。
【００１６】
後述する本発明は、符号分割多重接続（Code Division Multiple Access：ＣＤＭＡ）を利用する１ｘ ＥＶ−ＤＯ（Evolution−Data Only）システムを例として説明する。すると、まず１ｘ ＥＶ−ＤＯ移動通信システムにおいて、逆方向に伝送される各パケットのデータ伝送率を制御するための原理を説明する。
【００１７】
前記１ｘ ＥＶ−ＤＯシステムにおいて、逆方向に伝送される各パケットのデータ伝送率は該当パケットを伝送する端末の電力と伝送する全データの量により制御され、またシステムのローディング状況により制御される。即ち、基地局はシステムローディング状況など、種々なる要素を考慮して逆方向活性ビット（ＲＡＢ：Reverse Activity Bit）を生成する。
【００１８】
その後、前記基地局は前記生成されたＲＡＢを順方向チャンネルを通じて移動端末に伝送する。前記基地局が伝送するＲＡＢ値は＋１または−１値を有し、＋１の場合はシステムが混雑（busy）していることを表し、−１の場合はシステムが混雑していないこと（not busy）を表す。即ち、各基地局は前記ＲＡＢを前記基地局のセルまたはセクター内に位置した全ての移動端末に伝送することにより、システムのローディング情報を知らせることになる。このようなＲＡＢを受信した移動端末はシステムのローディング状況により自身の逆方向データ伝送率を制御する。ここで、前記ＲＡＢは特定時間単位、例えば、毎１．６７ｍｓ（１ｓｌｏｔと称する）単位で伝送される。
【００１９】
すると、前記移動通信システムにおいて、移動端末が基地局から前記ＲＡＢを受信して自身のデータ伝送率を制御する過程をより詳細に説明する。
【００２０】
移動端末は、前記受信されたＲＡＢを利用して逆方向データ伝送率を制御する際、前記ＲＡＢのみを利用するのでなく、前記基地局から受信されるＱＲＡＢ（Quick ＲＡＢ）とＦＲＡＢ（Filtered ＲＡＢ）などの２つの変数を共に使用する。
【００２１】
前記ＱＲＡＢは、特定の時点での基地局の逆方向ローディング状況を表す変数であって、前記基地局から連続に受信されるＲＡＢを比較的小さな時間区間の間（例えば、１．６７ｍｓ＊４）フィルタリングした値である。前記ＱＲＡＢの値は前記したように、フィルタリングした値から＋１あるいは−１の値で硬判定（hard dicision）された値である。一方、前記ＦＲＡＢは長い時間の間の基地局の逆方向ローディング状態を示す変数であって、前記基地局から連続に受信されるＲＡＢを比較的長い時間区間の間（例えば、１．６７ｍｓ＊２５６）フィルタリングしたものである。ここで、前記基地局はセクターを意味する。即ち、セクターから連続に受信されるＲＡＢを比較的長い時間区間の間フィルタリングした値をいうものである。前記ＦＲＡＢの値は−１と＋１間の実数値となる。言い換えると、特定の時点での前記ＦＲＡＢ値が小さいほど、過去に基地局は−１のＲＡＢ値をよく伝送することを意味し、これは、システムの平均ローディング状況が低いことを表す。一方、特定の時点での前記ＦＲＡＢ値が大きいほど、過去に基地局は＋１のＲＡＢ値をよく伝送したことを意味し、これは、システムの平均ローディング状況が高いことを表す。
【００２２】
前記移動端末は、自身の逆方向データ伝送率を制御することにおいて、前記ＱＲＡＢとＦＲＡＢを使用して逆方向伝送率を決定することになる。即ち、前記ＱＲＡＢ値が−１であるか＋１であるかによって、自身のデータ伝送率を上げるか、あるいは、下げるかを決定する。特定の時点で前記ＱＲＡＢ値が＋１であれば、これは現在システムがローディング状況が高いことを表すので、移動端末は自身のデータ伝送率を下げようと試みる。一方、特定の時点で前記ＱＲＡＢ値が−１であれば、これは現在のシステムがローディング状況が低いことを表すので、移動局は自身のデータ伝送率を上げようと試みる。
【００２３】
このように、特定の時点でＱＲＡＢ値が＋１であるか、あるいは、−１であるかによって、移動局が自身のデータ伝送率を下げるか、あるいは、上げるかを決定すれば、前記移動局は前記ＦＲＡＢ値によって自身のデータ伝送率をどのくらい下げるか、あるいは、どのくらい上げるかを決定することになる。これは、前述したように、前記ＦＲＡＢ値が比較的長い時間の間のシステムの逆方向ローディング状態を表すためである。例えば、任意の時点で前記ＱＲＡＢが−１と判断されて移動局が自身のデータ伝送率を上げる試みをする際、もし、前記ＦＲＡＢ値が非常に小さな値であれば、前記移動局は自身のデータ伝送率を比較的たくさん上げてもシステムに大きい無理にならない。逆に、前記ＱＲＡＢが前述したように同一に−１であるにも関わらず、前記ＦＲＡＢ値が非常に大きい値であれば、前記移動局は自身のデータ伝送率を比較的少なく上げることになる。
【００２４】
前記システムにおいて、前記ＱＲＡＢ及びＦＲＡＢを生成することに使われるフィルターの時間定数（time constant）値は、基地局が移動端末にシグナルリングメッセージなどを通じて伝送される。例えば、基地局が移動端末にＦＲＡＢを生成することに使われるフィルターのタイム定数値を２５６＊１．６７ｍｓと伝送され ると、前記移動端末は基地局から受信されるＲＡＢを前記２５６＊１．６７ｍｓ間平均し、フィルタリング（filtering）してＦＲＡＢを生成して、この値を自身のデータ伝送率制御に使用する。
【００２５】
一方、セルラー方式では、特定の基地局に隣接した多数の基地局が存在する。このように、多数の基地局が存在する状況で、各基地局は自身のＲＡＢを伝送する。したがって、移動端末がハンドオフを遂行中の場合に、前記移動端末は多数の基地局からＲＡＢを受信する。このような場合、前記移動端末は各基地局別に別々に前記ＱＲＡＢ及びＦＲＡＢ値を生成し管理する。一方、前述したように、ＦＲＡＢは、比較的長い時間区間の間、基地局から受信されたＲＡＢに対する平均値でシステムの平均ローディング状況を表す情報である。ところが、移動端末が最初の基地局と通信を始める時点またはハンドオフを遂行するために、新たな基地局と通信を開始する時点では、前記ＦＲＡＢを知ることができない。したがって、本発明の実施形態では、最初の基地局と通信を開始する時点及びハンドオフを遂行するために、新たな基地局と通信する場合、伝送率を決定するために逆方向システムロード（load）制御のためのＦＲＡＢ値の初期化方法に対して開示するはずである。
【００２６】
まず、本発明の実施形態に係る移動通信システムの構造を説明する。
図１は、本発明の実施形態に係る逆方向伝送率制御のための移動通信システムの構造を示すブロック図である。
図１を参照すれば、移動通信システムは、移動端末１０と、基地局システム（Base Station：ＢＳ）２０から構成されており、基地局システム２０は前記移動端末（Mobile Station）１０と無線データ通信を遂行する基地局送受信システム（Base Station System：ＢＴＳ）２１と、前記基地局送受信システム２１を制御する基地局制御器２２とから構成されている。以下、基地局システムは、基地局（ＢＳ）２０と通称する。前記移動端末１０は、メモリと、受信器及び制御器（図示していない）を有することができ、ソフトウェアまたはプログラムは、前記メモリに搭載されて前記制御器が制御を遂行する。ここで、前記移動端末１０は下記に説明される詳細な動作を遂行する。
【００２７】
前記移動端末１０は、逆方向パケットデータチャンネルを通じてパケットデータを前記基地局２０に伝送する。また、前記移動端末１０は前記基地局２０から伝送されるシステムのローディング状態を知らせる制御情報であるＲＡＢを受信する。そして、前記移動端末１０は、あらかじめ設定された時間（例えば、１．６７ｍｓ＊２５６）の間、連続して受信される前記ＲＡＢを利用して、または、サービング基地局からターゲット基地局にハンドオフして前記ターゲット基地局と初期接続時、以前の基地局（図示していない）のＦＲＡＢ値を利用して平均ローディング情報（ＦＲＡＢ）を生成した後、前記生成されたＦＲＡＢ値を現在の基地局で使用する平均ローディング情報（ＦＲＡＢ）に更新する。
【００２８】
一方、前記基地局２０は、システムのローディング情報であるＲＡＢを生成する際、熱雑音対比逆方向全体受信電力を表すＲｏＴ（Rise of Thermal）を測定する方法または全体負荷を利用する方法などを使用してＲＡＢを生成し、これを順方向チャンネルを通じて移動端末１０に伝送する。また、前記基地局２０は本発明によって前記移動端末１０と最初接続時に、または、ハンドオフして初期化する場合、初期化時点に初期ＦＲＡＢ値を設定して、前記移動端末１０に伝送する。すると、本発明に係る前記移動端末１０は、前記基地局から受信されたＦＲＡＢ値を今後使用するＦＲＡＢで設定し、受信されるＲＡＢ及びＱＲＡＢ値を利用して逆方向伝送率の増加幅または減少幅を決定する。
【００２９】
このような構造を有する移動通信システムにおいて、移動端末が最初基地局と接続する時点及びハンドオフして新たな基地局と接続を試みる時点でＦＲＡＢ値を初期化して伝送率を制御するための方法を説明する。
【００３０】
前記ＦＲＡＢ値の初期化方法は２つの方法に大別される。第１の方法は、最初の基地局と通信を開始しようとする移動端末に、あるいは、ハンドオフを遂行するために新たな基地局と通信を開始しようとする移動端末にＦＲＡＢの初期値をシグナルリングメッセージなどを通じて伝送するようにする方法である。第２の方法は、ハンドオフを遂行するために、新たな基地局と通信を開始しようとする移動端末に該当する方法で移動端末が既存に通信中の基地局に対するＦＲＡＢ値を参照して新たな基地局に対するＦＲＡＢの初期値を自体的に設定する方法である。
【００３１】
前述したような２つの方法について具体的に説明する。まず、前記２つの方法のうち、最初の方法を本発明の第１実施形態により添付された図面を参照しつつ説明する。
図２は、本発明の好ましい実施形態により移動端末が基地局からシステムローディング情報を受信する際の動作を示す流れ図である。
前記図２を参照すれば、ステップ１０１で、移動端末は最初のシステムに接続を試みたり、新たな基地局とハンドオフを試みる。この際、前記移動端末は新たな基地局と逆方向通信のためのＱＲＡＢとＦＲＡＢを有していない場合である。ステップ１０２で、移動端末は通信する基地局からシグナルリングメッセージを通じて初期のＦＲＡＢ値を受信する。ここで、基地局は前記初期ＦＲＡＢ値を任意に設定したり、移動端末で決定したような方法で自身が伝送したＲＡＢの平均値を通じて設定することができる。この他にも初期のＦＲＡＢ生成のための別途のアルゴリズムなどを利用することができることに留意すべきである。また、前記初期ＲＡＢ値は、最初の呼接続時にパラメータメッセージなどを通じてあらかじめ設定されることができる。
【００３２】
すると、ステップ１０３で、移動端末は基地局から受信したＦＲＡＢ値を初期値に設定し、前記受信されたＦＲＡＢ値によって現在伝送率をどのくらい上げるか、または、下げるかの程度を決定する。以後、ステップ１０４で、移動端末は前記基地局から基地局で現在瞬間の混雑度またはシステムのローディング情報を指示するＲＡＢを受信する。すると、移動端末はステップ１０５に進行して前記基地局からフィルターのタイム定数値を受信したかを判断する。この際、タイム定数値を受信しなかったら、移動端末はステップ１０４に進行する。一方、タイム定数値を受信すれば、ステップ１０６に進行して移動端末は前記基地局から受信されたタイム定数値、例えば前述したように、２５６＊１．６７ｍｓ間受信されたＲＡＢを平均を出してＦＲＡＢを生成して、前記生成されたＦＲＡＢ値を該当する基地局のＦＲＡＢに更新する。以後、移動端末は、また前記ステップ１０４に進行してＲＡＢを受信する。前記ステップ１０５でもタイム定数値を受信することと図示したが、これは移動端末にあらかじめ設定されている値であることができるので、前記ステップ１０５は省略されることもできる。
【００３３】
次に、前記第２の方法を利用して、本発明の第２実施形態に係るＦＲＡＢ初期化方法を添付された図面を参照しつつ説明する。
前記第２の方法は、ハンドオフを遂行するために新たな基地局と通信を開始しようとする移動端末に該当する方法であって、既存に通信中の基地局に対するＦＲＡＢ値を参照して新たな基地局に対するＦＲＡＢの初期値を設定する方法である。
【００３４】
図３は、本発明の好ましい実施形態によって移動端末が既存に通信中の基地局に対するＦＲＡＢ値を参照して、新たな基地局に対するＦＲＡＢの初期値を設定する動作を示す流れ図である。
前記図３を参照すれば、ステップ２０１で、移動端末は新たな基地局とハンドオフを試みる。ステップ２０２で、移動端末は前記新しく通信を試みようとする基地局に対するＦＲＡＢ値を設定するために、既存に通信の中であった基地局に対するＦＲＡＢ値を前記新たな基地局に対するＦＲＡＢ値の初期値に設定する。
【００３５】
次に、ステップ２０３で、移動端末は前記設定された初期値を利用して現在伝送率をどのくらい上げるか、または、下げるかの程度を決定する。以後、ステップ２０４で、移動端末は前記基地局からＲＡＢを受信する。次に、ステップ２０５で、移動端末は前記基地局からフィルタのタイム定数値を受信したかを判断する。この際、タイム定数値を受信しなければ、移動端末はステップ２０４に進行する。一方、タイム定数値を受信すれば、移動端末はタイム定数値に係る時間の間、例えば２５６＊１．６７ｍｓ間ＲＡＢ値をフィルタリングしてＦＲＡＢを生成する。そして、前記生成されたＦＲＡＢ値を前記基地局に対するＦＲＡＢ値に更新した後、前記ステップ２０４に進行する。この時にも前述したように、前記ステップ２０５でもタイム定数値を受信することと図示したが、これは端末機に予め設定されている値であることができるので、前記ステップ２０５は省略されることができる。
【００３６】
前記ステップ２０３で、現在、伝送率を以前に通信中であった基地局に対するＦＲＡＢ値を利用して新たな基地局に対するＦＲＡＢ値の初期値を設定する方法を具体的に説明すれば、次の通りである。
【００３７】
第１の方法で、以前に通信中であった基地局、即ち、移動端末が通信を遂行していた基地局毎のＦＲＡＢに対する平均値を新たな基地局に対するＦＲＡＢの初期値として使用することができる。例えば、移動端末が基地局Ａと基地局Ｂとハンドオフを遂行中であったし、新しく基地局Ｃを含めようとする。この時点で、前記基地局Ａに対するＦＲＡＢ値が−０．５であったし、前記基地局Ｂに対するＦＲＡＢ値が−０．４であったとする際、前記新たな基地局Ｃに対するＦＲＡＢの初期値は−０．４５に設定する。このような平均値を使用する方法は多数の基地局が大体類似の逆方向ロード状況を有すると見ることができる時、使用可能な方法であることに留意しなければならない。
【００３８】
第２の方法で、以前に通信中であった基地局に対するＦＲＡＢ値の最小値を新たな基地局に対するＦＲＡＢの初期値として使用する。例えば、移動端末が基地局Ａ及び基地局Ｂとハンドオフを遂行中であったし、新しく基地局Ｃを含めようとする。この時点で、前記基地局Ａに対するＦＲＡＢ値が−０．５であったし、前記基地局Ｂに対するＦＲＡＢ値が−０．４であったとする際、前記新たな基地局Ｃに対するＦＲＡＢの初期値は２つのＦＲＡＢ値のうち、最小値である−０．５に設定する。このような最小値を使用する方法は、新しく追加される基地局の逆方向ロード水準を相対的に低く初期化するために、より攻撃的な方法であることに留意しなければならない。
【００３９】
第３の方法は、以前に通信中であった基地局に対するＦＲＡＢ値の最大値を新たな基地局に対するＦＲＡＢの初期値として使用する。例えば、移動端末が基地局Ａ及び基地局Ｂとハンドオフを遂行中であったし、新しく基地局Ｃを含めようとする。この時点で、前記基地局Ａに対するＦＲＡＢ値が−０．５であったし、前記基地局Ｂに対するＦＲＡＢ値が−０．４であったとする時、前記新たな基地局Ｃに対するＦＲＡＢの初期値は２つのＦＲＡＢ値のうち、大きい値である−０．４に設定する。このような最大値を使用する方法は、新しく追加される基地局の逆方向ロード水準を相対的に高く初期化するために、より安全な方法であることに留意しなければならない。
【００４０】
一方、本発明の詳細な説明では、具体的な実施形態に関して説明したが、本発明の範囲から外れない限度内で種々の変形が可能であることはもちろんである。したがって、本発明の範囲は説明された実施形態に限るのでなく、後述する特許請求範囲だけでなく、この特許請求範囲と均等なものにより定められるべきである。
【符号の説明】
【００４１】
１０  移動端末
２０  基地局システム
２１  基地局送受信システム
２２  基地局制御器
【図１】
2010239646.tif 000003
【図２】
2010239646.tif 000004
【図３】
2010239646.tif 000005